(57)【要約】【課題】逆止弁カートリッジ等の取り付け、取り外し作業やメンテナンス作業等を飛躍的に向上させると共に、水道用メータの流路軸心を常に適正位置で保持することが可能であり、しかも、水道用メータユニット全体のコンパクト化を可能にして省スペース化を実現した耐久性、経済性にも優れた水道用メータユニットを提供すること。【解決手段】下流側の第二支持機構６は、前記保持部３に固着した筒状部材１１と、この筒状部材１１に螺着したナット部材１３と、このナット部材１３及び前記筒状部材１１内に設けた逆止弁カートリッジ１４とから成り、前記ナット部材１３の外端部に円弧状の受け面１２を突設し、この受け面１２に水道用メータＭのリブＭ３を係止する溝部１２ａを形成した水道用メータユニットである。【選択図】          図１
2005171689.tif 000002
【特許請求の範囲】
【請求項１】
ベース体の両側に立設した保持部に上流側の第一支持機構と下流側の第二支持機構を設け、この第一、第二支持機構に水道用メータの両端部を保持させた水道用メータユニットにおいて、この下流側の第二支持機構は、前記保持部に固着した筒状部材と、この筒状部材に螺着したナット部材と、このナット部材及び前記筒状部材内に設けた逆止弁カートリッジとから成り、前記ナット部材の外端部に円弧状の受け面を突設し、この受け面に水道用メータのリブを係止する溝部を形成したことを特徴とする水道用メータユニット。
【請求項２】
前記ナット部材内に逆止弁カートリッジを着脱自在に装着し、このナット部材を螺着した前記筒状部材内に前記逆止弁カートリッジを配設した請求項１に記載の水道用メータユニット。
【請求項３】
前記ナット部材を筒状部材に螺合する際、前記筒状部材の外端面とナット部材の内端面とが当接した位置で、両者の螺合終端位置とすると共に、前記ナット部材に突設した受け面をナット部材の下方位置にセットして、水道用メータの一端部を適正位置で支受けするようにした請求項１又は２に記載の水道用メータユニット。
【請求項４】
前記ナット部材にハンドルを設け、かつ、ナット部材の外端面には、水道用メータの一端面をＯリングを介して挟持する挟持面を設けた請求項１乃至３の何れか１項に記載の水道用メータユニット。
【請求項５】
前記保持部に形成した取付孔に固定ナットを介して筒状部材を固着した請求項１乃至４の何れか１項に記載の水道用メータユニット。
【発明の詳細な説明】
【技術分野】
【０００１】
本発明は、水道使用量を計量するための水道用メータと、この水道用メータ前後に配置される止水栓や接続器具類などをユニットとして提供可能なメータユニットに関し、例えば、集合住宅などの戸口付近に配設されたパイプシャフト内に設置するのに好適な水道用メータユニットに関する。
【背景技術】
【０００２】
従来より、集合住宅などの戸口付近には、パイプシャフトといわれる収納スペースが設けられており、この収納スペース内には水道使用量を計量するための水道用メータを取付したメータユニットが設置されている。水道配管の途中に設置される水道用メータは、計量法で定めた所定期間経過後に交換する必要があることから、ネジ固定式や圧着固定式などの固定手段によって交換可能にメータユニット本体に取付されている。ところが、ネジ固定式の場合には、メータユニット本体の両側に設けたナットの内周雌ネジ部と水道用メータの両端の外周雄ネジ部とを螺合する構造であるため、その取り付け、取り外しには工具を用いて行う必要があり、しかも、ナットの回転に伴って水道用メータがナットと一緒に共回りすることから、作業時には常に水道用メータを手で押さえて作業を行う必要があった。
【０００３】
そこで、現在では圧着固定式を採用する傾向が見られる。この圧着固定式は、メータユニット本体の両側に水道用メータの支持部材を設け、一方の支持部材が水道用メータの接続端面を押圧することで、両支持部材間に水道用メータを挟圧保持する構造であり、この押圧構造としては、スプリングを用いたもの、カム機構を用いたもの、並びに回転部材を用いたものがあり、その代表例を以下に示す（例えば、特許文献１又は２参照。）。
【０００４】
特開平１１−９３２２６号公報（特許文献１）に記載の装置は、水道用メータを保持する下流側の支持部材内部に逆止弁カートリッジを内蔵したものであり、この逆止弁カートリッジは、筒状の支持部材本体のメータ側端部に形成された雌ネジに取付リングを螺着することで支持部材内部に保持されている。前記取付リングには、水道用メータの接続端部を支受けする受け面が別体に設けられており、上流側・下流側の受け面に水道用メータの接続端部を載置した後、上流側・下流側の両支持部材で挟圧保持する構造である。
【０００５】
また、特開平３−１３７５２０号公報（特許文献２）に記載の装置は、特開平１１−９３２２６号公報（特許文献１）と同様に、水道用メータを保持する下流側の支持部材内部に、逆止弁カートリッジを内蔵したものであり、この逆止弁カートリッジは、筒状の支持部材本体のメータ側端部に形成された雌ネジに連結部材を螺着することで支持部材内部に保持されている。前記連結部材には、水道用メータの接続端部を支受けする受け面が一体に設けられており、上流側・下流側の両受け面に水道用メータの接続端部を載置した後、上流側・下流側の両支持部材で挟圧保持する構造である。
【特許文献１】特開平１１−９３２２６号公報
【特許文献２】特開平３−１３７５２０号公報
【発明の開示】
【発明が解決しようとする課題】
【０００６】
しかしながら、特開平１１−９３２２６号公報、特開平３−１３７５２０号公報に記載の装置では、逆止弁カートリッジなどを清掃したり、交換したりする場合には、前記取付リングや連結部材を着脱する工具が必要であり、とりわけ、狭いパイプシャフト内では工具が扱いが難しく、場合によっては専用工具を用意しなければならない場合もあった。そこで、取付リングの幅を大きくして、その外周に手動操作用のハンドルを設けることも考えられるが、この取付リングは、水道用メータとの当接部としても機能する部品であるため、取付リングの幅を大きくした分、装置全体の長さを長くしなければならず、広い設置場所を必要とすることになる。
【０００７】
さらに、特開平３−１３７５２０号公報（特許文献２）に記載の装置は、連結部材の端面下部に水道用メータの接続端部を支受けする受け面を一体に形成しているため、水道用メータを適切に支受けするためには、この受け面の水平度を正確に確認した上で支持部材との螺着を完了する必要があり、メンテナンス等で前記連結部材を取り外す必要がある場合には、その取付時に前記受け面の水平度を正確に確認するという作業を常に伴い、特に、暗い場所、狭い場所といった作業条件のわるい所でのメンテナンス作業等を行う者にとって、この受け面の水平度を正確に確認することは極めて難しく、万が一、水平度を有しない受け面で水道用メータを支受けすると、メータの軸心が適正位置で保持されず、シール性を低下させて流体漏れを生じるおそれも有していた。
【０００８】
しかも、特開平３−１３７５２０号公報（特許文献２）に記載の装置は、水道用メータの不用意な回転を防止する突起部をベース体上で、しかも、水道用メータの下方空間を大きく減少させた状態で設けているので、水道用メータとベース体との間に有効な空隙部を確保することができず、この部位に水道用メータの凍結防止用の断熱材を挿入することができない等の問題も有していた。
【０００９】
本発明は、上記の課題点に鑑み、鋭意研究の結果開発に至ったものであり、その目的とするところは、逆止弁カートリッジ等の取り付け、取り外し作業やメンテナンス作業等を飛躍的に向上させると共に、水道用メータの流路軸心を常に適正位置で保持することが可能であり、しかも、水道用メータユニット全体のコンパクト化を可能にして省スペース化を実現した耐久性、経済性にも優れた水道用メータユニットを提供することにある。
【課題を解決するための手段】
【００１０】
上記の目的を達成するため、請求項１に係る発明は、ベース体の両側に立設した保持部に上流側の第一支持機構と下流側の第二支持機構を設け、この第一、第二支持機構に水道用メータの両端部を保持させた水道用メータユニットにおいて、この下流側の第二支持機構は、前記保持部に固着した筒状部材と、この筒状部材に螺着したナット部材と、このナット部材及び前記筒状部材内に設けた逆止弁カートリッジとから成り、前記ナット部材の外端部に円弧状の受け面を突設し、この受け面に水道用メータのリブを係止する溝部を形成した水道用メータユニットである。
【００１１】
請求項２に係る発明は、前記ナット部材内に逆止弁カートリッジを着脱自在に装着し、このナット部材を螺着した前記筒状部材内に前記逆止弁カートリッジを配設した水道用メータユニットである。
【００１２】
請求項３に係る発明は、前記ナット部材を筒状部材に螺合する際、前記筒状部材の外端面とナット部材の内端面とが当接した位置で、両者の螺合終端位置とすると共に、前記ナット部材に突設した受け面をナット部材の下方位置にセットして、水道用メータの一端部を適正位置で支受けするようにした水道用メータユニットである。
【００１３】
請求項４に係る発明は、前記ナット部材にハンドルを設け、かつ、ナット部材の外端面には、水道用メータの一端面をＯリングを介して挟持する挟持面を設けた水道用メータユニットである。
【００１４】
請求項５に係る発明は、前記保持部に形成した取付孔に固定ナットを介して筒状部材を固着した水道用メータユニットである。
【発明の効果】
【００１５】
請求項１に係る発明によると、継手部等の腐食部位がないので、耐食性を大幅に向上させ、配管強度にも優れたメータユニットを可能にし、さらに、ナット部材に受け面を一体に設けると共に、この受け面に水道用メータの下流側底部に突設したリブと係合する溝部を一体に設けることで、部品点数、加工工程を低減して製造コストを大幅に削減することが可能となる。さらに、水道用メータとベース体との間に有効な空隙部スペースを確保することができるので、例えば、水道用メータ全体を断熱材で覆うことが可能となると共に、メータユニット全体をコンパクト化することができ、これにより、メータユニット設置場所の省スペース化が可能となる。
【００１６】
請求項２に係る発明によると、ナット部材を取り外すと、このナット部材に伴って逆止弁カートリッジも一緒に取り出すことができるので、作業性を向上させることが可能となる。
【００１７】
請求項３に係る発明によると、ナット部材を筒状部材の突き当て面まで螺合すると、ナット部材に設けた受け面が自動的に適正位置に配置されるので、メンテナンス等でナット部材を取り外した場合でも、再度、螺着した際には、受け面を適正位置に再現することができ、この受け面で支受けした水道用メータは適正な状態で保持されるので、水道用メータの流路軸心とメータユニット本体の流路軸心とを確実に一致させることが可能となる。しかも、暗い場所、狭い場所といった作業条件のわるい所であっても、ナット部材、逆止弁カートリッジ等を容易に着脱することができるので、飛躍的に作業性を向上させることが可能となる。
【００１８】
請求項４に係る発明によると、メンテナンス作業や取り付け、取り外し作業等で、ナット部材を取り外す場合には、工具を用いることなく、ナット部材に設けたハンドルにより手動でその着脱を行うことができるため、飛躍的に作業性を向上させることが可能となる。
【００１９】
請求項５に係る発明によると、メータユニット本体における上流側・下流側の流路軸心を極めて容易に、しかも、確実に一致させることが可能となる。
【発明を実施するための最良の形態】
【００２０】
本発明における水道用メータユニットの一実施形態を図面に基づいて説明する。
図１は、水道用メータユニットの構造を示した断面図である。同図に示すように、水道用メータユニット１（以下、メータユニット１という）は、両側に立設した一対の保持部２，３を有するベース体４と、この一対の保持部２，３に対向させて取付した上流側の第一支持機構５と、下流側の第二支持機構６等から成り、本実施形態において、前記上流側の第一支持機構５は、保持部２に固着された上流側筒状部材７と、この上流側筒状部材７に内挿され、水道用メータＭの上流側接続端部（本例では、ネジ部）Ｍ１を支受けする円孤状の受け面８を突設したスライド部材９と、このスライド部材９を進退させる回転部材１０等から構成されている。なお、前記第一支持機構５の構造は、本例に限定するものではなく、水道用メータＭを適正な状態で着脱自在に挟持可能なものであればよい。
【００２１】
前記下流側の第二支持機構６は、保持部３に固着された下流側筒状部材１１と、この下流側筒状部材１１のメータ側外周に螺着され、水道用メータＭの下流側接続端部（本例では、ネジ部）Ｍ２を支受けする円弧状の受け面１２を突設したナット部材１３と、このナット部材１３の螺着により前記下流側筒状部材１１の内部に収容保持される逆止弁カートリッジ１４等から構成されており、前記ナット部材１３を下流側筒状部材１１に螺着する際、前記下流側筒状部材１１の外端面１１ａと、ナット部材１３の内端面１３ａとが当接した位置で、両者の螺合終端位置とすると共に、前記ナット部材１３に突設した受け面１２をナット部材１３の下方位置にセットして、水道用メータＭの下流側接続端部Ｍ２を適正位置で支受けする構造を有している。また、前記受け面１２には、水道用メータＭの下流側底部に突設したリブＭ３と係合する溝部１２ａを形成している。なお、図中１５は、前記ナット部材１３の外周面に設けた手動操作用のハンドルである。
【００２２】
図２は、図１におけるＡ−Ａ線断面図である。同図に示すように、ベース体４は、長尺状の基部４ａを有しており、底部が開放された断面略台形の中空形状であって、断面矩形の中空形状よりも強度が強く、ベース体４の軽量化を図りつつ、水道用メータＭを挟圧保持する際の反力に十分耐えられる強度を備えている。保持部２，３は、基部４ａから緩やかな局面部を介して起立させており、この保持部２，３には貫通して取付孔２ａ，３ａを設けている。取付孔２ａ，３ａの孔縁周辺は平面状を呈しており、上流側筒状部材７、下流側筒状部材１１に設けた後述するフランジ部７ａ、１１ｂと、上流側筒状部材７、下流側筒状部材１１をこの取付孔２ａ，３ａにそれぞれ固着する際に用いる固定ナット１６、１７が、この平面状に当接するようにしている。また、ベース体４の両端部には、ベース体４を床等に固定するための図示しないボルトが係止する切欠部４ｂ，４ｂを設けている。勿論であるがこの固定は必須ではない。なお、本例のベース体４は、ダクタイル鋳鉄製であり、その表面全面にエポキシ樹脂紛体塗装（膜厚最大約６００μｍ）を施している。
【００２３】
ここで、本実施形態において一例として示す上流側の第一支持機構について説明する。
図３は、第一支持機構５の構造を示した断面図である。同図に示すように、上流側筒状部材７の外周にフランジ部７ａを設けており、上流側筒状部材７を保持部２の取付孔２ａに一次側から挿入したとき、このフランジ部７ａが保持部２の取付孔縁部に係止するようにしている。メータ側外周には雄ネジ部（平行雄ネジ）７ｂを形成しており、この上流側筒状部材７を保持部２に固着する際の固定ナット１６と、この上流側筒状部材７に内挿されるスライド部材９を進退させる回転部材１０を螺着する。
【００２４】
スライド部材９は、上流側筒状部材７に内挿される筒状部９ａと、回転部材１０により押圧される環状フランジ部９ｂから成り、前記筒状部９ａは、Ｏリング１８を介して、上流側筒状部材７の内周面に摺接するようにしている。前記環状フランジ部９ｂは、上流側筒状部材７の外周に形成された雄ネジ部７ｂよりも大径であり、メータ側端面９ｃには、水道用メータＭの上流側接続端部Ｍ１の外径に対応した挟持面９ｄをこのメータ側端面９ｃよりも一段低いインロー構造に形成しており、また、この挟持面９ｄには、水道用メータＭとの間をシールするＯリング１９を配置している。なお、挟持面９ｄのみを切削加工し、メータ側端面９ｃは鋳放面、或いは鍛上がり面としており、また、Ｏリング１９は環状であれば他のシール部材形状であってもよい。
【００２５】
前記スライド部材９のメータ側端面９ｃの下方位置には、水道用メータＭの上流側接続端部Ｍ１を支受けする円孤状の受け面８を一体に設けている。この受け面８の最下部には、スライド部材９の進退方向へ延びる案内溝８ａを形成しており、この案内溝８ａにベース体４上面に突設した円柱状の突起部２０を係合させることで、回転部材１０の回転に伴ってスライド部材９が回転するのを防止しつつ、スライド部材９を進退方向へ案内している。
【００２６】
回転部材１０の内周には、上流側筒状部材７の外周に形成された雄ネジ部７ｂと螺合する雌ネジ部１０ａを形成している。この雌ネジ部１０ａよりもメータ側を大径部として段部面１０ｂを形成しており、回転部材１０が進出する際には、この段部面１０ｂが前記スライド部材９の環状フランジ部９ｂ背面を押圧する。また、スライド部材９の環状フランジ部９ｂ外面を回転部材１０の大径部内面に内接させるようにしており、この回転部材１０は、スライド部材９によって調芯された状態で回転できるようにしている。回転部材１０のメータ側端部内周には、スライド部材９の環状フランジ部９ｂを係止するための止め輪２１を嵌着しており、回転部材１０の回転後退に伴って、スライド部材９も一緒に後退させるようにしている。また、回転部材１０の外周面は、回転部材１０を手動操作するためのフィン状の把持部１０ｃを放射状に設けており、各把持部１０ｃには貫通孔１０ｄを有している。この貫通孔１０ｄと保持部２の上部に設けた孔部２ｂとを図示しない結束バンド等で締結可能としており、回転部材１０の不用意な回転を阻止し、水道用メータＭの好適な挟持状態を確実に維持できるようにしている。
【００２７】
本例では、図１又は図３に示すように、上流側筒状部材７に９０度に屈曲したエルボ２２を延設しており、このエルボ２２は、上流側筒状部材７が保持部２に固着されていても、その向きを変えることができるように、保持部２と固定ナット１６との間にＮＢＲ等の弾性部材からなるワッシャ２３を介在させて、このワッシャ２３の弾性力により、固定ナット１６を取り外すことなく、適度な摩擦力の下でこのエルボ２２の向きを自由に変えることができる。また、図１に示すように、エルボ２２の上流側の端部にはユニオンナット２４を設けており、同図に示す止水栓２５や図示しない減圧弁などをその向きを適切に調整した状態で接続するようにしている。これにより、止水栓２５、接続器具等をユニットとして提供可能にしている。なお、図中２６は、管端防食コアである。
【００２８】
次に、下流側の第二支持機構について説明する。
図４は、第二支持機構６の構造を示した断面図である。同図に示すように、下流側筒状部材１１の外周にはフランジ部１１ｂを設けており、下流側筒状部材１１を保持部３の取付孔３ａに一次側から挿入したとき、このフランジ部１１ｂが保持部３の取付孔縁部に係止するようにしている。二次側外周には雄ネジ部（平行雄ネジ）１１ｃを形成しており、この下流側筒状部材１１を保持部３に固着する際に固定ナット１７を螺着する。また、二次側端部内周には管用雌ネジ部１１ｄを形成しており、管端防食コア２６を介して、下流側の配管を接続可能にしている。下流側筒状部材１１は、一次側に円筒部１１ｅを延設しており、この円筒部１１ｅの内部に逆止弁カートリッジ１４を収容している。また、円筒部１１ｅの外周にはナット部材１３の雌ネジ部１３ｂと螺合する雄ネジ部１１ｆを形成しており、この雄ネジ部１１ｆよりメータ側にこの円筒部１１ｅとナット部材１３とをシールするためのＯリング２７を配置している。
【００２９】
図４に示すように、ナット部材１３の内周には、前記逆止弁カートリッジ１４の端部と嵌合する段部面１３ｃと、螺着した下流側筒状部材１１の外端面１１ａが当接する内端面１３ａを設けている。前記逆止弁カートリッジ１４は、弁座外周に配置したＯリング２８の弾発力を利用して、ナット部材１３の前記段部面１３ｃに液密に嵌合されており、下流側筒状部材１１からナット部材１３を取り外すと、ナット部材１３に伴ってこの逆止弁カートリッジ１４を一緒に取り出すことができる。
【００３０】
前記ナット部材１３のメータ側端面１３ｄには、水道用メータＭの下流側接続端部Ｍ２の外径に対応した挟持面１３ｅをこのメータ側端面１３ｄよりも一段低いインロー構造に形成している。また、この挟持面１３ｅには、水道用メータＭとの間をシールするＯリング２９を配置している。なお、挟持面１３ｅを切削加工し、メータ側端面１３ｄは鋳放面、或いは鍛上がり面としており、また、Ｏリング２９は環状であれば他のシール部材形状であってもよい。
【００３１】
前記ナット部材１３のメータ側端面１３ｄには、水道用メータＭの下流側接続端部Ｍ２を支受けする円孤状の受け面１２を突設している。このナット部材１３を下流側筒状部材１１に螺着する際、下流側筒状部材１１の外端面１１ａと、ナット部材１３の内端面１３ａとが当接した位置を両者の螺合終端位置としており、前記ナット部材１３に突設した受け面１２を水平度を有する位置であるナット部材１３の下方位置にセットして、水道用メータＭの下流側接続端部Ｍ２を適正位置で支受けする構造を有している。従って、ハンドル１５を用いた手動による回転操作により、このナット部材１３と下流側筒状部材１１とを螺着し、ナット部材１３の内端面１３ａが下流側筒状部材１１の外端面１１ａに当接したとき、この位置における受け面１２は、水平度を有する適正位置に確実に配置されるので、下流側筒状部材１１に螺着するナット部材１３の水平度は確実に再現される。
【００３２】
前記受け面１２の先端部位には、水道用メータＭの下流側底部に突設したリブＭ３と係合する溝部１２ａが形成されている。この溝部１２ａは、水道用メータＭのリブＭ３と常時係合するように形成されており、水道用メータＭが上流側の第一支持機構５と下流側の第二支持機構６間のどの位置に配置されても、水道用メータＭのリブＭ３と溝部１２ａとの係合状態は維持され、水道用メータＭを挟圧保持する前に周方向へ傾いたり、回転したりすることを防止して、適正な状態で水道用メータＭを挟圧保持することを可能にしている。
【００３３】
図５は、前記ナット部材１３の一例を示した斜視図である。同図に示すように、ナット部材１３の外周面には、このナット部材１３と下流側筒状部材１１とを手動操作によって着脱させるハンドル１５を設けている。本例において、前記ハンドル１５は、受け面１２が最下部となる水平度を有する適正位置において、上下左右の円周方向９０°毎に把持部１５ａを放射状に設け、この把持部１５ａは、内周面に形成した雌ネジ部１３ｂの形成領域にかかるように形成することにより、ナット部材１３の軸線方向の長さＣを最小にしながら形成するようにしている。この把持部１５ａの個数や形状等は任意であるが、好ましくは、前記受け面１２が水平度を有する適正位置に配置されたとき、この位置において水平度を有する把持部１５ａを少なくとも一対設けるとよい。これにより、例えば、ナット部材１３を螺着した下流側筒状部材１１を保持部３に位置決め固定する際に、この把持部１５ａの水平度を確認しながら適正状態に配置することができ、このナット部材１３を周方向に対して適正位置で位置決めすることができる。なお、本例では、前記下流側筒状部材１１は、保持部３に対して上記適正位置において回転方向の位置決めを行い、保持部３の上部に設けたピン孔３ｂに固定ピン３０を嵌め込んで回転不能に固定した後、固定ナット１７により配管軸方向の位置決めがなされた状態で固定している。
【００３４】
次に、上記実施形態の作用を説明する。
上流側の第一支持機構５、下流側の第二支持機構６の各受け面８、１２に水道用メータＭの接続端部Ｍ１，Ｍ２をそれぞれ載置して、第一支持機構５、第二支持機構６の流路と水道用メータＭの流路とを同軸上に位置させると共に、水道用メータＭのリブＭ３を第二支持機構６の受け面１２に形成された溝部１２ａに嵌めて、水道用メータＭの方向性の確認及び水道用メータＭの回転又は横ずれの防止を図る。このとき、水道用メータＭの接続端部Ｍ１，Ｍ２を支受けする受け部８、１２が円孤状に形成されているので載置し易い。さらに、第一支持機構５の回転部材１０をハンドル１０ｃを介して手動操作し、スライド部材９を進出させる。これにより、水道用メータＭを下流側に押圧してスライド部材９の挟持面９ｄとナット部材１３の挟持面１３ｅとで、この水道用メータＭを挟持すると共に、各挟持面９ｄ、１３ｅに装着したＯリング１９、２９で、各挟持面９ｄ、１３ｅと水道用メータＭの上流側・下流側の接続端面とをそれぞれ液密にシールして、メータユニット本体１に水道用メータＭを接続する。その後、水道本管への流路を開き、次いで第一支持機構５の上流に設けた止水栓２５のハンドル２５ａを適宜方向に回し、ボール２５ｂを回転させて流路を連通する。
【００３５】
一方、メータユニット本体１から水道用メータＭを取り外す場合は、止水栓２５のハンドル２５ａを適宜方向に回し、ボール２５ｂを回転させて流路を閉塞して、水道本管と水道用メータＭとの間の流路を閉ざした後、第一支持機構５の回転部材１０を回転操作してスライド部材９を後退させ、水道用メータＭを挟圧保持していた力を解除して、水道用メータＭを離脱可能にする。
【００３６】
また、メンテナンス作業や取替え作業等で、第二支持機構６のナット部材１３や逆止弁カートリッジ１４を取扱う場合、下流側筒状部材１１からナット部材１３を取り外した場合であっても、ハンドル１５を用いた手動による回転操作により、このナット部材１３と下流側筒状部材１１とを螺着し、ナット部材１３の内端面１３ａが下流側筒状部材１１の外端面１１ａに当接したとき、この位置における受け面の水平度は確実に再現される。しかも、前記受け面１２が水平度を有する適正位置に配置されたとき、この位置において水平度を有する把持部１５ａを少なくとも一対、ナット部材１３の外周面に設けることで、取付作業時に、この把持部１５ａの水平度を確認するのみで、適正な取付が行われたかどうかの確認を行うことができる。これにより、暗い場所、狭い場所といった作業条件のわるい所であっても、ナット部材１３、逆止弁カートリッジ１４等を容易に着脱することができ、水平度が再現された受け部１２に載置した水道用メータＭは、その軸心を適正位置で保持することができ、第一支持機構５、第二支持機構６の流路と水道用メータＭの流路を確実に一致させることができる。
【００３７】
図６は、水道用メータＭを断熱材３１で覆った状態を示した正面図である。同図に示すように、準寒冷地といわれる地域においてメータユニット１を使用する場合には、広く確保された間隙部位より断熱材３１を装入して、水道用メータＭを断熱材３１で覆って凍結を簡易的に防止することができ、さらに、メータユニット１の全周囲を断熱材３１で被覆することもできる。
【図面の簡単な説明】
【００３８】
【図１】本発明における水道用メータユニットの構造を示した断面図である。
【図２】図１におけるＡ−Ａ線断面図である。
【図３】上流側の第一支持機構の構造を示した断面図である。
【図４】下流側の第二支持機構の構造を示した断面図である。
【図５】ナット部材の一例を示した斜視図である。
【図６】水道用メータを断熱材で覆った状態を示した断面図である。
【符号の説明】
【００３９】
１  水道用メータユニット（メータユニット本体）
２，３  保持部
３ａ  取付孔
４  ベース体
５  第一支持機構
６  第二支持機構
１１  下流側筒状部材
１１ａ  外端面
１２  受け面
１３  ナット部材
１３ａ  内端面
１４  逆止弁カートリッジ
１５  ハンドル
１７  固定ナット
２９  Ｏリング
Ｍ  水道用メータ
Ｍ１  上流側接続端部
Ｍ２  下流側接続端部
Ｍ３  リブ
【図１】
2005171689.tif 000003
【図２】
2005171689.tif 000004
【図３】
2005171689.tif 000005
【図４】
2005171689.tif 000006
【図５】
2005171689.tif 000007
【図６】
2005171689.tif 000008